(57)【要約】【課題】検体の定量が適正に行われたか否かをより正確に特定可能な検査チップおよび検査装置を提供する。【解決手段】検査チップ２では、検体定量部１１４が検査チップ２の内部に導入された検体１０を所定量収容可能である。所定量を超える検体１０は、検体定量部１１４から溢れて第一通路１１５を移動し、検体余剰部１１６に貯留される。第一通路１１５および検体余剰部１１６の少なくとも一方は、検体１０と接触した場合に外観が変化する検体反応部１６０が設けられる。定量された検体１０、第一試薬１１および第二試薬１２の混合液は、貯留部１７０に貯留される。【選択図】図６
2014066607.tif 000002
【特許請求の範囲】
【請求項１】
液体である検体が注入され、所定の第一軸を中心に回転されることにより遠心力が付与され、且つ、前記第一軸とは異なる第二軸を中心に回転されることにより前記遠心力の方向が変化される検査チップであって、
前記検査チップの内部に導入された前記検体が流入可能であり、且つ、所定量の前記検体を収容可能な定量部と、
前記定量部に前記所定量を超える前記検体が流入した場合、前記定量部から溢れる前記検体が移動可能な連結流路と、
前記連結流路の下流端に設けられ、前記連結流路を移動した前記検体が貯留される余剰部と、
前記連結流路および前記余剰部の少なくとも一方に設けられ、前記検体と接触した場合に外観が変化する検体反応部と
を備えたことを特徴とする検査チップ。
【請求項２】
前記検体反応部は、前記連結流路の内面または前記余剰部の内面に沿って形成されたことを特徴とする請求項１に記載の検査チップ。
【請求項３】
前記検体反応部は、前記検査チップに関する情報を示すバーコードであることを特徴とする請求項２に記載の検査チップ。
【請求項４】
前記検体反応部は、前記検体に接触すると溶解する物質により前記バーコードのパターンが形成されたことを特徴とする請求項３に記載の検査チップ。
【請求項５】
前記検体反応部は、前記検体に接触すると光学的に測定可能な色変化を生じる物質により形成されたことを特徴とする請求項２に記載の検査チップ。
【請求項６】
前記検体反応部は、前記連結流路の内面のうちで、前記定量部と前記余剰部とを最短距離により結ぶ面に設けられたことを特徴とする請求項２から５のいずれかに記載の検査チップ。
【請求項７】
前記検体反応部は、前記余剰部の内面のうちで、前記連結流路の延長線上に設けられたことを特徴とする請求項２から５のいずれかに記載の検査チップ。
【請求項８】
液体である検体および試薬が注入された検査チップを使用可能な検査装置であって、
前記検査チップは、
前記検査チップの内部に導入された前記検体が流入可能であり、且つ、所定量の前記検体を収容可能な定量部と、
前記定量部に前記所定量を超える前記検体が流入した場合、前記定量部から溢れる前記検体が移動可能な連結流路と、
前記連結流路の下流端に設けられ、前記連結流路を移動した前記検体が貯留される余剰部と
前記連結流路および前記余剰部の少なくとも一方に設けられ、前記検体と接触した場合に外観が変化する検体反応部と、
前記定量部により定量された前記検体と、前記検査チップの内部に導入された前記試薬との混合液が貯留される貯留部を備え、
前記検査装置は、
対象物に対して光を発して光学測定を実行可能な測定部と、
所定の第一軸および前記第一軸とは異なる第二軸を中心に、前記検査チップを回転可能な回転部と、
前記測定部により前記検体反応部を光学測定させる第一測定手段と、
前記第一測定手段により光学測定が実行された後、前記回転部により前記検査チップを回転させることにより、前記混合液を生成する液混合手段と、
前記液混合手段により前記混合液が生成された後、前記測定部により前記検体反応部を光学測定させる第二測定手段と、
前記第一測定手段の測定結果と前記第二測定手段の測定結果とに基づいて、前記検体反応部の外観が変化したか否かを特定する反応特定手段と
を備えたことを特徴とする検査装置。
【発明の詳細な説明】
【技術分野】
【０００１】
本発明は、検査対象物の化学的、医学的、または生物学的な検査を行うための検査チップおよび検査装置に関する。
【背景技術】
【０００２】
従来、生体物質、または化学物質等を検査するための検査チップが知られている。例えば特許文献１に開示のマイクロチップは、複数項目の検査および分析を行うために、各項目に対応する複数のセクションを有する検査チップである。検体導入口から導入された検体は、各セクションに分配される。分配された検体は、各セクションの検体計量部により定量される。各検体計量部により定量された検体は、各セクションの検出部に導入されて、各項目の光学測定に使用される。一方、各セクションにおいて定量時に検体計量部から溢れた検体は、溢出検体収容部に収容される。溢出検体収容部に検体が存在するか否かを光学測定により、各検体計量部が検体で満たされているか否かを特定可能である。
【先行技術文献】
【特許文献】
【０００３】
【特許文献１】特開２００９−１０９４２９号公報
【発明の概要】
【発明が解決しようとする課題】
【０００４】
特許文献１に開示のマイクロチップでは、溢出検体収容部に収容された液体が微量である場合、溢出検体収容部に存在する検体を光学測定により検出できないことがある。この場合、各検体計量部において検体の定量が適正に行われていても、正確に検体が定量されていないと判断される可能性がある。その結果、各セクションにおいて適正な測定結果が得られていても、不正確な測定結果であるとして検査結果に採用されないおそれがあった。
【０００５】
本発明の目的は、検体の定量が適正に行われたか否かをより正確に特定可能な検査チップおよび検査装置を提供することである。
【課題を解決するための手段】
【０００６】
本発明の第一態様は、液体である検体が注入され、所定の第一軸を中心に回転されることにより遠心力が付与され、且つ、前記第一軸とは異なる第二軸を中心に回転されることにより前記遠心力の方向が変化される検査チップであって、前記検査チップの内部に導入された前記検体が流入可能であり、且つ、所定量の前記検体を収容可能な定量部と、前記定量部に前記所定量を超える前記検体が流入した場合、前記定量部から溢れる前記検体が移動可能な連結流路と、前記連結流路の下流端に設けられ、前記連結流路を移動した前記検体が貯留される余剰部と、前記連結流路および前記余剰部の少なくとも一方に設けられ、前記検体と接触した場合に外観が変化する検体反応部とを備える。
【０００７】
上記態様に係る検査チップによれば、定量部は検査チップの内部に導入された検体を所定量収容可能である。所定量を超える検体は、定量部から溢れて連結流路を移動し、余剰部に貯留される。連結流路および余剰部の少なくとも一方には、検体と接触した場合に外観が変化する検体反応部が設けられる。したがって、検体反応部の外観が変化したか否かにより、検体の定量が適正に行われたか否かをより正確に特定できる。
【０００８】
前記検体反応部は、前記連結流路の内面または前記余剰部の内面に沿って形成されてもよい。この場合、連結流路または余剰部における試薬の移動が、検体反応部により妨げられるおそれを低減できる。
【０００９】
前記検体反応部は、前記検査チップに関する情報を示すバーコードであってもよい。この場合、検体反応部は、検体の定量が適正に行われたか否かを示すのみならず、バーコードとして機能する。したがって、検体反応部からバーコード情報を読み取って利用することが可能となり、且つ、検査チップにバーコードを別途設ける必要がない。
【００１０】
前記検体反応部は、前記検体に接触すると溶解する物質により前記バーコードのパターンが形成されてもよい。この場合、検体の定量が適正に行われると、定量部から溢れた検体が検体反応部に接触するため、検体反応部からバーコードのパターンが消える。そのため、バーコード情報を読み取れたか否かにより、検体の定量が適正に行われた否かを特定できる。
【００１１】
前記検体反応部は、前記検体に接触すると光学的に測定可能な色変化を生じる物質により形成されてもよい。この場合、検体の定量が適正に行われると、定量部から溢れた検体が検体反応部に接触するため、検体反応部に色変化が生じる。そのため、検体反応部に色変化が生じた否かにより、検体の定量が適正に行われた否かを特定できる。
【００１２】
前記検体反応部は、前記連結流路の内面のうちで、前記定量部と前記余剰部とを最短距離により結ぶ面に設けられてもよい。この場合、連結流路において定量部と余剰部とを最短距離により結ぶ面は、定量部から余剰部へ移動する検体が接触しやすい。したがって、検体の定量が適正に行われた否かをより確実に特定できる。
【００１３】
前記検体反応部は、前記余剰部の内面のうちで、前記連結流路の延長線上に設けられてもよい。この場合、余剰部における連結流路の延長線上は、定量部から余剰部へ移動する検体が接触しやすい。したがって、検体の定量が適正に行われた否かをより確実に特定できる。
【００１４】
本発明の第二態様は、液体である検体および試薬が注入された検査チップを使用可能な検査装置であって、前記検査チップは、前記検査チップの内部に導入された前記検体が流入可能であり、且つ、所定量の前記検体を収容可能な定量部と、前記定量部に前記所定量を超える前記検体が流入した場合、前記定量部から溢れる前記検体が移動可能な連結流路と、前記連結流路の下流端に設けられ、前記連結流路を移動した前記検体が貯留される余剰部と前記連結流路および前記余剰部の少なくとも一方に設けられ、前記検体と接触した場合に外観が変化する検体反応部と、前記定量部により定量された前記検体と、前記検査チップの内部に導入された前記試薬との混合液が貯留される貯留部を備え、前記検査装置は、対象物に対して光を発して光学測定を実行可能な測定部と、所定の第一軸および前記第一軸とは異なる第二軸を中心に、前記検査チップを回転可能な回転部と、前記測定部により前記検体反応部を光学測定させる第一測定手段と、前記第一測定手段により光学測定が実行された後、前記回転部により前記検査チップを回転させることにより、前記混合液を生成する液混合手段と、前記液混合手段により前記混合液が生成された後、前記測定部により前記検体反応部を光学測定させる第二測定手段と、前記第一測定手段の測定結果と前記第二測定手段の測定結果とに基づいて、前記検体反応部の外観が変化したか否かを特定する反応特定手段とを備える。
【００１５】
上記態様に係る検査装置によれば、液体である検体および試薬が注入された検査チップを使用可能である。検査チップでは、定量部が検査チップの内部に導入された検体を所定量収容可能である。所定量を超える検体は、定量部から溢れて連結流路を移動し、余剰部に貯留される。連結流路および余剰部の少なくとも一方は、検体と接触した場合に外観が変化する検体反応部が設けられる。定量された検体と試薬との混合液は、貯留部に貯留される。
【００１６】
検査装置は、検体反応部を光学測定した後に、検査チップを回転させることにより混合液を生成する。その後、検査装置は、検体反応部を再度光学測定し、２回の測定結果に基づいて検体反応部の外観が変化したか否かを特定する。したがって、検体反応部の外観が変化したか否かにより、検体の定量が適正に行われたか否かをより正確に特定できる。
【図面の簡単な説明】
【００１７】
【図１】検査チップ２が定常状態にある検査装置１の背面図である。
【図２】検査チップ２が定常状態から自転した検査装置１の他の背面図である。
【図３】図１に示す検査装置１の平面図である。
【図４】制御装置９０の電気的構成を示すブロック図である。
【図５】検査チップ２の斜視図である。
【図６】遠心処理前の検査チップ２の正面図である。
【図７】第一通路１１５および検体余剰部１１６の拡大正面図である。
【図８】検査装置１のメイン処理のフローチャートである。
【図９】図６に続き、自転角度６０度において光学測定される検査チップ２の正面図である。
【図１０】図９に続き、自転角度０度において公転される検査チップ２の正面図である。
【図１１】図１０に続き、自転角度９０度において公転される検査チップ２の正面図である。
【図１２】図１１に続き、自転角度０度において公転される検査チップ２の正面図である。
【図１３】図１２に続き、自転角度９０度において公転される検査チップ２の正面図である。
【図１４】図１３に続き、自転角度６０度において光学測定される検査チップ２の正面図である。
【図１５】図１４に続き、自転角度０度において光学測定される検査チップ２の正面図である。
【図１６】変形例に係る第一通路１１５および検体余剰部１１６の拡大斜視図である。
【発明を実施するための形態】
【００１８】
本発明を具体化した実施の形態について、図面を参照して説明する。参照する図面は、本発明が採用しうる技術的特徴を説明するために用いられるものであり、単なる説明例である。
【００１９】
＜１．検査システム３の概略構造＞
本発明の実施形態を説明する。図１および図２を参照して、検査システム３の概略構造について説明する。本実施形態の検査システム３は、液体である検体および試薬を収容可能な検査チップ２と、検査チップ２を用いて検査を行う検査装置１とを含む。検査装置１は、検査チップ２から離間した垂直軸線を中心とした回転により、検査チップ２に遠心力を付与できる。検査装置１は、水平軸線を中心に検査チップ２を回転させることにより、検査チップ２に付与される遠心力の方向である遠心方向を切り替え可能である。
【００２０】
＜２．検査装置１の詳細構造＞
図１〜図４を参照して、検査装置１の詳細構造について説明する。以下の説明では、図１および図２の上方、下方、右方、左方、紙面手前側、および紙面奥側を、それぞれ、検査装置１の上方、下方、右方、左方、後方、および前方とする。図３の上方、下方、右方、左方、紙面手前側、および紙面奥側を、それぞれ、検査装置１の前方、下方、右方、左方、上方、および下方とする。本実施形態では、垂直軸の方向は上下方向であり、水平軸の方向は検査チップ２が垂直軸を中心とした回転の際の速度の方向である。なお、理解を容易にするために、図１および図２では上部筐体３０を仮想線により示し、図３では上部筐体３０の天板が取り除かれた状態を示す。
【００２１】
図１〜図３に示すように、検査装置１は、上部筐体３０、下部筐体３１、ターンテーブル３３、角度変更機構３４、および制御装置９０を備える。ターンテーブル３３は、下部筐体３１の上面側に設けられる円盤状の回転体である。検査チップ２は、ターンテーブル３３の上方に保持される。角度変更機構３４は、ターンテーブル３３に設けられた駆動機構である。この駆動機構は、水平軸線を中心に検査チップ２を回転させる。上部筐体３０は、下部筐体３１の上側に固定されており、検査チップ２に対して光学測定を行う測定部７が内部に設けられている。制御装置９０は、検査装置１の各種処理を制御するコントローラである。
【００２２】
下部筐体３１の詳細構造を説明する。図１および図２に示すように、下部筐体３１は、枠部材を組み合わせた箱状のフレーム構造を有する。下部筐体３１の上面には、長方形の板材である上板３２が設けられている。上板３２の上側には、ターンテーブル３３が回転自在に設けられている。下部筐体３１の内部には、垂直軸線を中心にターンテーブル３３を回転させる駆動機構が、次のように設けられている。
【００２３】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２４】
主軸５７は、上板３２の直下に設けられた支持部材５３により、回転自在に保持されている。支持部材５３の下側では、主軸５７にプーリ３８が固定されている。プーリ３７、３８に亘って、ベルト３９が掛け渡されている。主軸モータ３５が軸３６を回転させると、プーリ３７、ベルト３９、およびプーリ３８を介して駆動力が主軸５７に伝達される。このとき、主軸５７の回転に連動して、ターンテーブル３３が主軸５７を中心に回転する。
【００２５】
下部筐体３１内の右方寄りに、下部筐体３１の内部において上下方向に延びるガイドレール５６が設けられている。Ｔ型プレート４８は、ガイドレール５６に沿って下部筐体３１内において上下方向に移動可能である。Ｔ型プレート４８の前側、すなわち図１および図２では紙面奥側の面には、左右方向に長い溝部８０が形成されている。
【００２６】
先述の主軸５７は、内部が中空の筒状体である。内軸４０は、主軸５７の内部において上下方向に移動可能な軸である。内軸４０の上端部は、主軸５７内を貫通して後述のラックギア４３に接続されている。Ｔ型プレート４８の左端部には、軸受４１が設けられている。軸受４１の内部では、内軸４０の下端部が回転自在に保持される。
【００２７】
Ｔ型プレート４８の前方には、Ｔ型プレート４８を上下動させるためのステッピングモータ５１が固定されている。ステッピングモータ５１の軸５８は後方、すなわち図１および図２では紙面手前側に向けて突出している。軸５８の先端には、円盤状のカム板５９が固定されている。カム板５９の後側の面には、円柱状の突起７０が設けられている。突起７０の先端部は、先述の溝部８０に挿入されている。突起７０は、溝部８０内を摺動可能である。ステッピングモータ５１が軸５８を回転させると、カム板５９の回転に連動して突起７０が上下動する。このとき、溝部８０に挿入されている突起７０に連動して、Ｔ型プレート４８がガイドレール５６に沿って上下動する。
【００２８】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸４０に固定されたラックギア４３が設けられている。ラックギア４３は、上下方向に長い金属製の板状部材であり、両端面にギアが各々刻まれている。
【００２９】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により水平軸線を中心に回転自在に支持されたピニオンギア４４が介在している。ピニオンギア４４は、ギア４５およびラックギア４３にそれぞれ噛合している。ラックギア４３の上下動に連動して、ピニオンギア４４、およびギア４５がそれぞれ従動回転し、ひいては検査チップ２が支軸４６を中心に回転する。 
【００３０】
本実施形態では、主軸モータ３５がターンテーブル３３を回転駆動するのに伴って、検査チップ２が垂直軸である主軸５７を中心に回転して、検査チップ２に遠心力が付与される。検査チップ２の垂直軸線を中心とした回転を、公転と呼ぶ。一方、ステッピングモータ５１が内軸４０を上下動させるのに伴って、検査チップ２が水平軸である支軸４６を中心に回転して、検査チップ２に作用する遠心力の方向が相対変化する。検査チップ２の水平軸線を中心とした回転を、自転と呼ぶ。
【００３１】
図１に示すように、Ｔ型プレート４８が可動範囲の最下端まで下降した状態では、ラックギア４３も可動範囲の最下端まで下降する。このとき、検査チップ２は、自転角度が０度の定常状態になる。図２に示すように、Ｔ型プレート４８が可動範囲の最上端まで上昇した状態では、ラックギア４３も可動範囲の最上端まで上昇する。このとき、検査チップ２は、定常状態から水平軸線を中心に１８０度回転した状態になる。つまり、本実施形態では検査チップ２が自転可能な角度幅は、自転角度０度〜１８０度である。 
【００３２】
上部筐体３０の詳細構造を説明する。図３に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３３】
上部筐体３０の内部に設けられた測定部７は、測定光を発光する光源７１と、光源７１から発せられた測定光を検出する光センサ７２とを有する。光源７１および光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前後面に対して略垂直に交差する。
【００３４】
図４を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、およびプログラムを記憶するハードディスク装置９５と、各種情報を表示するディスプレイ９６とが接続されている。
【００３５】
さらに、ＣＰＵ９１には、公転コントローラ９７、自転コントローラ９８、および測定コントローラ９９が接続されている。公転コントローラ９７は、主軸モータ３５を回転駆動させる制御信号を主軸モータ３５に送信することにより、検査チップ２の公転を制御する。自転コントローラ９８は、ステッピングモータ５１を回転駆動させる制御信号をステッピングモータ５１に送信することにより、検査チップ２の自転を制御する。測定コントローラ９９は、測定部７を駆動することにより、検査チップ２の光学測定を実行する。詳細には、測定コントローラ９９は、光源７１の発光および光センサ７２の光検出を実行させる制御信号を、光源７１および光センサ７２に送信する。
【００３６】
＜３．検査チップ２の構造＞
図５〜図７を参照して、本実施形態に係る検査チップ２の詳細構造を説明する。以下の説明では、図５の上方、下方、左下方、右上方、右下方、および左上方を、それぞれ、検査チップ２の上方、下方、前方、後方、右方、および左方とする。図６および図７は、シート２９を取り除いた検査チップ２の正面図を示している。後述の図９〜図１５も同様である。
【００３７】
図５に示すように、検査チップ２は一例として前方から見た場合に正方形状であり、所定の厚みを有する透明な合成樹脂の板材２０を主体とする。板材２０の前面は、透明の合成樹脂の薄板から構成されたシート２９により封止されている。板材２０とシート２９との間には、検査チップ２に封入された液体が流動可能な液体流路２５が形成されている。液体流路２５は、板材２０の前面側に所定深さにより形成された凹部であり、板材２０の厚み方向である前後方向と直交する方向に延びる。すなわち、シート２９は、板材２０の流路形成面を封止する。
【００３８】
液体流路２５は、検体注入部１１１、検体定量部１１４、検体余剰部１１６、試薬注入部１３１、試薬定量部１３４、試薬余剰部１３６、試薬注入部１５１、試薬定量部１５４、試薬余剰部１５６、および貯留部１７０を含む。図６に示すように、検体注入部１１１は検体１０が注入および貯留される部位であり、上側に開口する凹部である。本実施形態の検体１０は、例えば血液である。試薬注入部１３１は第一試薬１１が注入および貯留される部位であり、上側に開口する凹部である。試薬注入部１５１は第二試薬１２が注入および貯留される部位であり、上側に開口する凹部である。
【００３９】
図６に示すように、検体注入部１１１、試薬注入部１３１、および試薬注入部１５１は、検査チップ２の上側の壁面である上辺部２１に沿って、板材２０の前面に左右方向に並んで形成されている。検体注入部１１１、試薬注入部１３１、および試薬注入部１５１のうち、検体注入部１１１が検査チップ２の左側の壁面である左辺部２３に最も近い。試薬注入部１５１が検査チップ２の右側の壁面である右辺部２２に最も近い。試薬注入部１３１が検体注入部１１１と試薬注入部１５１との間に位置する。なお、検査チップ２の下側の壁面は、下辺部２４である。
【００４０】
図示しないがシート２９には、検体１０を検体注入部１１１に注入するための検体注入穴が形成されている。例えば、図示しない器具に収容された検体１０が、ユーザの操作により検体注入穴から注入されればよい。すなわち、公知の手法を用いて、試薬注入穴を介して検体１０が検体注入部１１１に注入されればよい。同様にシート２９には、図示しないが、第一試薬１１を試薬注入部１３１に注入するための試薬注入穴、および第二試薬１２を試薬注入部１５１に注入するための試薬注入穴が形成されている。尚、これらの注入穴は、例えば上辺部２１が開口している形状でもよい。
【００４１】
検体供給路１１２は、検体注入部１１１の右上部分から下方向に延びる検体１０の流路である。検体供給路１１２の下端部は、流路が狭く形成された検体供給部１１３に接続する。検体供給部１１３の下方には、検体定量部１１４が設けられている。検体定量部１１４は検体１０を定量する部位であり、上側に開口する凹部である。検体供給部１１３から検体定量部１１４の凹部内側に向けて遠心力が付与されることにより、検体定量部１１４の凹部内側の体積と同量の検体１０が定量される。
【００４２】
検体供給部１１３と検体定量部１１４とが連通する部位から、第一通路１１５が左方向に延び、且つ第二通路１１７が右方向に延びている。第一通路１１５は、検体定量部１１４の左下方に設けられた検体余剰部１１６まで延びている。すなわち第一通路１１５は、流路の形成方向が変わるように前方からみて屈曲している。これにより、第一通路１１５において検体１１が検体定量部１１４と検体余剰部１１６との間を移動するためには、検体１０に複数の異なる方向の外力を付与する必要がある。つまり検体余剰部１１６に貯留された検体１０は、第一通路１１５を介して検体定量部１１４に逆流しにくい。
【００４３】
検体余剰部１１６は、検体定量部１１４から溢れ出た検体１０が貯留される部位であり、第一通路１１５の下端部から右方向に延びる凹部である。第二通路１１７は、検体定量部１１４の右下側に設けられた後述の貯留部１７０まで延びている。すなわち第二通路１１７は、第一通路１１５と同様の理由により、流路の形成方向が変わる。尚、第一通路１１５と検体余剰部１１６との境界の定義は、後述する。
【００４４】
試薬供給路１３２は、試薬注入部１３１の右上部分から下方向に延びる第一試薬１１の流路である。試薬供給路１３２の下端部は、流路が狭く形成された試薬供給部１３３に接続する。試薬供給部１３３の下方には、試薬定量部１３４が設けられている。試薬定量部１３４は第一試薬１１を定量する部位であり、上側に開口する凹部である。試薬供給部１３３から試薬定量部１３４の凹部内側に向けて遠心力が付与されることにより、試薬定量部１３４の凹部内側の体積と同量の第一試薬１１が定量される。
【００４５】
試薬供給部１３３と試薬定量部１３４とが連通する部位から、第三通路１３５が左方向に延び、且つ第四通路１３７が右方向に延びている。第三通路１３５は、試薬定量部１３４の左下方に設けられた試薬余剰部１３６まで延びている。すなわち第三通路１３５は、第一通路１１５と同様の理由により、流路の形成方向が変わる。試薬余剰部１３６は、試薬定量部１３４から溢れ出た第一試薬１１が貯留される部位であり、第三通路１３５の下端部から右方向に延びる凹部である。第四通路１３７は、試薬定量部１３４の下側に設けられた後述の貯留部１７０まで延びている。すなわち第四通路１３７は、第一通路１１５と同様の理由により、流路の形成方向が変わる。
【００４６】
試薬供給路１５２は、試薬注入部１５１の右上部分から下方向に延びる第二試薬１２の流路である。試薬供給路１５２の下端部は、流路が狭く形成された試薬供給部１５３に接続する。試薬供給部１５３の下方には、試薬定量部１５４が設けられている。試薬定量部１５４は第二試薬１２を定量する部位であり、上側に開口する凹部である。試薬供給部１５３から試薬定量部１５４の凹部内側に向けて遠心力が付与されることにより、試薬定量部１５４の凹部内側の体積と同量の第二試薬１２が定量される。
【００４７】
試薬供給部１５３と試薬定量部１５４とが連通する部位から、第五通路１５５が左方向に延び、且つ第六通路１５７が右方向に延びている。第五通路１５５は、試薬定量部１５４の左下方に設けられた試薬余剰部１５６まで延びている。すなわち第五通路１５５は、第一通路１１５と同様の理由により、流路の形成方向が変わる。試薬余剰部１５６は、試薬定量部１５４から溢れ出た第二試薬１２が貯留される部位であり、第五通路１５５の下端部から右方向に延びる凹部である。第六通路１５７は、試薬定量部１５４の左下側に設けられた後述の貯留部１７０まで延びている。すなわち第六通路１５７は、第一通路１１５と同様の理由により、流路の形成方向が変わる。
【００４８】
貯留部１７０は、検査チップ２の中央下部に設けられた、上側に開口する矩形状の凹部である。貯留部１７０では、第二通路１１７から流入する検体１０と、第四通路１３７から流入する第一試薬１１と、第六通路１５７から流入する第二試薬１２とが混合され、図１３に示す混合液１３が生成される。生成された混合液１３は、後述するように、貯留部１７０を通る測定光により光学測定される。
【００４９】
図７に示すように、シート２９により封止された第一通路１１５の内面は、側面１１５Ａ〜１１５Ｄおよび後面１１５Ｅを含む。側面１１５Ａは、検体定量部１１４の左上端部１１４Ａから左下方向に延びる。側面１１５Ｂは、側面１１５Ａの左下端部１１５Ｆから下方向に延びる。側面１１５Ｃは、検体供給部１１３の左下端部１１３Ａから左上方向に延びる。側面１１５Ｄは、側面１１５Ｃの左上端部１１５Ｇから下方向に延びる。側面１１５Ｂの下端部１１５Ｈと側面１１５Ｄの下端部１１５Ｊは、上下方向において同じ位置にある。第一通路１１５の下流側端部１１５Ｋは、側面１１５Ｂの下端部１１５Ｈと側面１１５Ｄの下端部１１５Ｊとの間に形成される。後面１１５Ｅは、第一通路１１５において最も後方に位置する面である。
【００５０】
シート２９により封止された検体余剰部１１６の内面は、側面１１６Ａ〜１１６Ｄおよび後面１１６Ｅを含む。側面１１６Ａは、側面１１５Ｂの下端部１１５Ｈから右方向に延びる。側面１１６Ｂは、側面１１６Ａの右端部１１６Ｆから下方向に延びる。側面１１６Ｃは、側面１１６Ｂの下端部１１６Ｇから左方向に延びる。側面１１６Ｄは、側面１１５Ｄの下端部１１５Ｊから下方向に延び、且つ、側面１１６Ｃの左端部１１６Ｈに接続する。先述した第一通路１１５の下流側端部１１５Ｋが、検体余剰部１１６と第一通路１１５との境界である。後面１１６Ｅは、検体余剰部１１６において最も後方に位置する面である。
【００５１】
第一通路１１５および検体余剰部１１６の少なくとも一方には、検体１０と接触した場合に外観が変化する検体反応部１６０が設けられる。本実施形態の検体反応部１６０は、検体余剰部１１６の後面１１６Ｅに水溶性の染料インクにより印刷された、検査チップ２に関する情報を示すバーコードである。
【００５２】
すなわち、検体反応部１６０は、検体余剰部１１６の内面に沿って形成された印刷物である。そのため、検体余剰部１１６における検体１０の移動が、検体反応部１６０により妨げられるおそれを低減できる。検体反応部１６０は、検体１０に接触すると溶解する物質によりバーコードのパターンが形成されている。そのため、検体反応部１６０は、液体である検体１０に接触すると溶解してバーコードのパターンの少なくとも一部が消える。
【００５３】
検査装置１は、検体反応部１６０を読み取ることにより、検査チップ２に関する情報を取得できる。検査チップ２に関する情報は、例えば装置情報、チップ情報、または試薬情報である。装置情報は、例えば検査チップ２が使用される検査装置１の型番、製造番号、または駆動条件である。駆動条件は、公転の回転数などの情報である。チップ情報は、例えば検査チップ２の型番、製造番号、または検査項目である。試薬情報は、例えば検査チップ２内の試薬の製造番号、消費期限、補正データ、または検量線情報である。補正データは、試薬および検体の混合液から測定された検査結果を補正するためのデータである。検量線情報は、試薬および検体の混合液から測定された吸光度および吸光度変化量から検査物質の濃度を算出するためのデータである。本実施形態のバーコードのパターンは、第一試薬１１および第二試薬１２に関する検量線情報を示す。
【００５４】
本実施形態の検体反応部１６０は、検体余剰部１１６の内面のうちで、第一通路１１５の延長線Ｅ上に設けられている。延長線Ｅは、検体定量部１１４と検体余剰部１１６とを最短距離により結ぶ側面１１５Ａおよび側面１１５Ｂのうち、下流側の側面１１５Ｂから検体余剰部１１６内に伸びる延長線である。すなわち、検体１０が第一通路１１５を経由して検体余剰部１１６に流入する場合、検体１０が側面１１５Ａおよび側面１１５Ｂに沿って移動したときに、検体１０の移動距離が最も短くなる。したがって、側面１１５Ａおよび側面１１５Ｂに沿って移動する検体１０は、延長線Ｅ上に設けられた検体反応部１６０に接触しやすい。さらに、検体反応部１６０におけるバーコードの上端中央部は、側面１１５Ｂの延長線Ｅ上に位置する。したがって、検体１０が側面１１５Ｂに沿って検体余剰部１１６に流入した場合、少なくともバーコードの上端中央部は溶解する。
【００５５】
図１に示すように、Ｌ型プレート６０から延びる支軸４６は、図示外の装着用ホルダを介して板材２０の後面中央に垂直に連結される。図６に示す中心Ｃｔは、検査チップ２における支軸４６の連結位置であり、且つ検査チップ２の自転中心である。本実施形態では、中心Ｃｔから検体反応部１６０までの距離Ｌ１と、中心Ｃｔから貯留部１７０までの距離Ｌ２とが等しい。
【００５６】
支軸４６の回転に伴って、中心Ｃｔを中心に前方からみて反時計回り方向に検査チップ２が自転する。検査チップ２は図６に示す定常状態である場合、上辺部２１および下辺部２４が重力Ｚの方向と直交し、右辺部２２および左辺部２３が重力Ｚの方向と平行、且つ、左辺部２３が右辺部２２よりも主軸５７側に配置される。定常状態の検査チップ２が測定位置に配置されている場合、光源７１と光センサ７２とを結ぶ測定光が貯留部１７０を上方からみて垂直に通過する。
【００５７】
＜４．検査方法の一例＞
図４、および図６〜図１０を参照して、検査装置１および検査チップ２を用いた検査方法について説明する。ユーザは検査チップ２を支軸４６に取り付けて、操作部９４から処理開始のコマンドを入力する。これにより、ＣＰＵ９１は、ＲＯＭ９３に記憶されている制御プログラムに基づいて、図８に示すメイン処理を実行する。なお、検査装置１は二つの検査チップ２を同時に検査可能であるが、以下では説明の便宜のため、一つの検査チップ２を検査する手順を説明する。
【００５８】
図８に示すように、まず検体反応部１６０の読み取りが実行される（Ｓ１）。詳細には、図４に示す公転コントローラ９７が主軸モータ３５を制御することにより、検査チップ２を公転して測定位置に移動させる。さらに図４に示す自転コントローラ９８がステッピングモータ５１を制御することにより、図９に示すように、定常状態の検査チップ２を前方からみて反時計回りに一例として６０度自転させる。これにより検査チップ２の自転角度が６０度に変化する。このとき、重力Ｚの作用する方向は、検査チップ２の右上側から左下側に向く。検体注入部１１１は左下方向に閉じる凹部であるため、検体１０は検体注入部１１１から移動せずに留まる。試薬注入部１３１および試薬注入部１５１は左下方向に閉じる凹部であるため、第一試薬１１および第二試薬１２は、それぞれ試薬注入部１３１および試薬注入部１５１から移動せずに留まる。この状態において測定コントローラ９９が測定部７を駆動すると、光源７１と光センサ７２とを結ぶ測定光が検体反応部１６０を通る。
【００５９】
図７に示すように、本実施形態では光源７１と光センサ７２とを結ぶ測定光の断面ＬＨは、検査チップ２の上下方向に長い長方形状である。検体反応部１６０は、測定光の断面ＬＨの範囲に含まれる大きさにより形成されたバーコードである。測定光は、バーコードの着色部分を通過する場合、バーコードの非着色部分を通過する場合と比べて変化する。ＣＰＵ９１は光センサ７２が受光した測定光の変化量に基づいて、検体反応部１６０が示す検査チップ２に関する情報であるバーコード情報を読み取る。
【００６０】
図８に戻る。検体反応部１６０からバーコード情報を読み取れたか否かが判断される（Ｓ３）。例えば、検査チップ２が使用済みである場合、後述するように検体反応部１６０は溶解しているため、バーコード情報を読み取れない。このようにバーコード情報を読み取れなかった場合（Ｓ３：ＮＯ）、バーコード情報を読み取りできなかったことを示すエラーが、ディスプレイ９６に表示される（Ｓ５）。その後、メイン処理が終了される。バーコード情報が読み取れた場合（Ｓ３：ＹＥＳ）、読み取ったバーコード情報により示される検量線情報が取得される（Ｓ７）。
【００６１】
次いで検査チップ２の遠心処理が、以下の手順で実行される（Ｓ９）。まず図１０に示すように、図４に示す自転コントローラ９８がステッピングモータ５１を制御することにより、検査チップ２を前方からみて時計回りに６０度自転させる。図４に示す公転コントローラ９７は主軸モータ３５を制御することにより、自転角度が０度に戻った検査チップ２を公転する。これにより、左辺部２３から右辺部２２に向けて、検査チップ２に遠心力Ｘが作用する。遠心力Ｘの作用により、検体１０は検体注入部１１１から検体供給路１１２に移動する。同様に、第一試薬１１は試薬注入部１３１から試薬供給路１３２に移動する。第二試薬１２は試薬注入部１５１から試薬供給路１５２に移動する。
【００６２】
次に図１１に示すように、図４に示す自転コントローラ９８がステッピングモータ５１を制御することにより、公転中の検査チップ２を前方からみて反時計回りに９０度自転させる。これにより、検査チップ２の自転角度が９０度に変化し、上辺部２１から下辺部２４に向けて検査チップ２に遠心力Ｘが作用する。遠心力Ｘの作用により、検体１０は検体供給部１１３を介して検体定量部１１４に流入する。検体定量部１１４では、所定量を超える検体１０が第一通路１１５に溢れ出して検体余剰部１１６に貯留される。この結果、所定量の検体１０が定量される。
【００６３】
同様に、第一試薬１１は試薬供給部１３３を介して試薬定量部１３４に流入する。試薬定量部１３４では、所定量を超える第一試薬１１が第三通路１３５に溢れ出す。溢れ出した第一試薬１１は、試薬余剰部１３６に貯留される。この結果、所定量の第一試薬１１が定量される。第二試薬１２は試薬供給部１５３を介して試薬定量部１５４に流入する。試薬定量部１５４では、所定量を超える第二試薬１２が第五通路１５５に溢れ出す。溢れ出した第二試薬１２は、試薬余剰部１５６に貯留される。この結果、所定量の第二試薬１２が定量される。
【００６４】
上記の処理により検体１０が検体定量部１１４から溢れ出した場合、図７に示すように、溢れ出した検体１０は側面１１５Ａおよび側面１１５Ｂに沿って、検体定量部１１４から検体余剰部１１６まで最短距離で移動する。さらに検体１０は、側面１１５Ｂの下端部から側面１１６Ｃに接触する位置まで、後面１１６Ｅに沿って延長線Ｅ上を移動する。このとき、検体１０が後面１１６Ｅに設けられた検体反応部１６０に接触して、検体反応部１６０が溶解する。
【００６５】
次に図１２に示すように、図４に示す自転コントローラ９８がステッピングモータ５１を制御することにより、公転中の検査チップ２を前方からみて時計回りに９０度自転させる。これにより検査チップ２の自転角度が０度に戻り、左辺部２３から右辺部２２に向けて検査チップ２に遠心力Ｘが作用する。遠心力Ｘの作用により、検体定量部１１４において定量された検体１０が第二通路１１７に移動する。一方、検体余剰部１１６は右方向に閉じる凹部であるため、余剰の検体１０は検体余剰部１１６に留まる。
【００６６】
同様に、試薬定量部１３４において定量された第一試薬１１が第四通路１３７に移動する。一方、試薬余剰部１３６は右方向に閉じる凹部であるため、余剰の第一試薬１１は試薬余剰部１３６に留まる。試薬定量部１５４で定量された第二試薬１２が第六通路１５７に移動する。一方、試薬余剰部１５６は右方向に閉じる凹部であるため、余剰の第二試薬１２は試薬余剰部１５６に留まる。
【００６７】
次に図１３に示すように、図４に示す自転コントローラ９８がステッピングモータ５１を制御することにより、公転中の検査チップ２を前方からみて反時計回りに９０度自転させる。これにより、検査チップ２の自転角度が９０度に変化し、上辺部２１から下辺部２４に向けて検査チップ２に遠心力Ｘが作用する。遠心力Ｘの作用により、検体１０は第二通路１１７から貯留部１７０に流入する。第一試薬１１は第四通路１３７から貯留部１７０に流入する。第二試薬１２は第六通路１５７から貯留部１７０に流入する。一方、余剰の検体１０、第一試薬１１、および第二試薬１２は、先述したように検体余剰部１１６、試薬余剰部１３６、および試薬余剰部１５６に留まる。貯留部１７０に流入した検体１０、第一試薬１１、および第二試薬１２は、遠心力Ｘの作用により混合され、混合液１３が生成される。
【００６８】
上記遠心処理の実行後、ステップＳ１と同様に、検体反応部１６０の読み取りが実行される（Ｓ１１）。すなわち図１４に示すように、図４に示す公転コントローラ９７が主軸モータ３５を制御することにより、検査チップ２を測定位置まで移動させる。図４に示す自転コントローラ９８がステッピングモータ５１を制御することにより、検査チップ２の自転角度を一例として６０度に変化させる。このとき重力Ｚの作用する方向が、検査チップ２の右上側から左下側に向く。貯留部１７０は左下方向に閉じる凹部であるため、混合液１３は貯留部１７０から移動せずに留まる。図４に示す測定コントローラ９９が測定部７を駆動すると、測定光が検体反応部１６０を通る。ＣＰＵ９１は光センサ７２が受光した測定光の変化量に基づいて、検体反応部１６０のバーコード情報を読み取る。
【００６９】
次に、検体反応部１６０の外観がステップＳ１の時点から変化しているか否かが、検体反応部１６０からバーコード情報を読み取れたか否かに基づいて判断される（Ｓ１３）。ステップＳ９において必要量の検体１０が定量されなかった場合、検体１０が検体定量部１１４から溢れ出さないため、検体反応部１６０が有するバーコードのパターンは溶解しない。この場合、検体反応部１６０の外観は変化しないため、ＣＰＵ９１はステップＳ１と同様にバーコード情報を読み取り可能である。つまり、検体反応部１６０の外観が変化していない場合（Ｓ１３：ＮＯ）、必要量の検体１０が定量されていないから、検体１０の不足を報知するエラーがディスプレイ９６に表示される（Ｓ１５）。その後、メイン処理が終了される。
【００７０】
一方、ステップＳ９において必要量の検体１０が定量された場合、検体１０が検体定量部１１４から溢れ出すため、先述したように検体反応部１６０が有するバーコードのパターンは溶解する。つまり、検体反応部１６０の外観が変化するため、ＣＰＵ９１はバーコード情報を読み取りできない。したがって、検体反応部１６０の外観が変化している場合（Ｓ１３：ＹＥＳ）、必要量の検体１０が定量されているから、混合液１３の光学測定が実行される（Ｓ１７）。
【００７１】
ステップＳ１７では、図１５に示すように、図４に示す自転コントローラ９８がステッピングモータ５１を制御することにより、検査チップ２の自転角度を０度に変化させる。この状態において、図４に示す測定コントローラ９９が測定部７を駆動すると、光源７１と光センサ７２とを結ぶ測定光が貯留部１７０を通る。ＣＰＵ９は、光センサ７２が受光した測定光の変化量、つまり混合液１３を透過した測定光の変化量を測定する。先述したように距離Ｌ１と距離Ｌ２とが等しい。そのため、検査チップ２を自転させることにより、検体反応部１６０および貯留部１７０を同一の測定光により測定できる。
【００７２】
次いで、ステップＳ７により取得された検量線情報と、ステップＳ９において取得された測定結果とに基づいて、検査物質の濃度が算出される（Ｓ１９）。算出された濃度に基づく検体１０の検査結果が、図５に示すディスプレイ９６に表示される（Ｓ２１）。その後、メイン処理が終了される。
【００７３】
＜５．本実施形態の主たる作用・効果＞
以上説明したように、本実施形態の検査チップ２および検査装置１によれば、検査装置１は液体である検体１０、第一試薬１１および第二試薬１２が注入された検査チップ２を使用可能である。検査チップ２では、検体定量部１１４が検査チップ２の内部に導入された検体１０を所定量収容可能である。所定量を超える検体１０は、検体定量部１１４から溢れて第一通路１１５を移動し、検体余剰部１１６に貯留される。第一通路１１５および検体余剰部１１６の少なくとも一方は、検体１０と接触した場合に外観が変化する検体反応部１６０が設けられる。定量された検体１０、第一試薬１１および第二試薬１２の混合液１３は、貯留部１７０に貯留される。
【００７４】
検査装置１は、検体反応部１６０を光学測定した後に、検査チップを回転させることにより混合液１３を生成する（Ｓ１、Ｓ３：ＹＥＳ、Ｓ７、Ｓ９）。その後、検査装置１は、検体反応部１６０を再度光学測定し、２回の測定結果に基づいて検体反応部１６０の外観が変化したか否かを特定する（Ｓ１１、Ｓ１３）。したがって、検体反応部１６０の外観が変化したか否かにより、検体１０の定量が適正に行われたか否かをより正確に特定できる。
【００７５】
検体反応部１６０は、検体１０の定量が適正に行われたか否かを示すのみならず、バーコードとして機能する。したがって、検査装置１は、検体反応部１６０からバーコード情報を読み取って、例えば検査に利用することが可能である（Ｓ７、Ｓ１９）。さらに、検査チップ２は、検査チップ２に関する情報を示すバーコードを、検体反応部１６０とは別に設ける必要がない。
【００７６】
検体１０の定量が適正に行われると、検体反応部１６０からバーコードのパターンが消える。そのため、検査装置１は、バーコード情報を読み取れたか否かにより、検体の定量が適正に行われた否かを特定できる（Ｓ１１、Ｓ１３）。
【００７７】
＜６．その他＞
上記実施形態において、検体定量部１１４が本発明の「定量部」に相当する。第一通路１１５が本発明の「連結流路」に相当する。検体余剰部１１６が本発明の「余剰部」に相当する。第一試薬１１および第二試薬１２が、それぞれ本発明の「試薬」に相当する。主軸モータ３５およびステッピングモータ５１が、本発明の「回転部」に相当する。ステップＳ１を実行するＣＰＵ９１が、本発明の「第一測定手段」に相当する。ステップＳ９を実行するＣＰＵ９１が、本発明の「液混合手段」に相当する。ステップＳ１１を実行するＣＰＵ９１が、本発明の「第二測定手段」に相当する。ステップＳ１３を実行するＣＰＵ９１が、本発明の「反応特定手段」に相当する。
【００７８】
本発明は、上記実施形態に限定されるものではなく、各種の変形が可能である。上記実施形態の検査装置１および検査チップ２は単なる例示であり、各々の構造、形状および処理などを変更可能である。例えば、検体反応部１６０は、検体余剰部１１６の後面１１６Ｅに設けた水溶性のバーコードに限定されない。検体反応部１６０は、検体１０と接触した場合に外観が変化すればよい。検体反応部１６０は、第一通路１１５および検体余剰部１１６の少なくとも一方に設けられればよい。
【００７９】
図１６に示す変形例では、検体反応部１６０Ａは、検体定量部１１４と検体余剰部１１６とを最短距離により結ぶ面を構成する側面１１５Ａおよび側面１１５Ｂのうち、上流側の側面１１５Ａに設けられている。検体反応部１６０Ｂは、側面１１６Ｃのうちで第一通路１１５の延長線Ｅ上の部位に、検体反応部１６０Ｂが設けられている。検体反応部１６０Ａ、１６０Ｂは、いずれも検体１０である血液に接触すると光学的に測定可能な色変化を生じるルミノール液を塗布して、円形状に形成されている。
【００８０】
本変形例の場合も、検査装置１は図８に示すメイン処理と同様の処理を行うことにより、検査チップ２を用いた検査を実行できる。ただし、変形例に係る検査装置１は、図示しないが、検査チップ２の左辺部２３側から検体反応部１６０Ａ、１６０Ｂの少なくとも一方を光学測定するための測定部を有する。ステップＳ１およびステップＳ１１では、ＣＰＵ９１は図示しない測定部を用いて、検体反応部１６０Ａ、１６０Ｂの少なくとも一方を読み取る。
【００８１】
図８に示すメイン処理では、検体反応部１６０の色が読み取られる（Ｓ１）。検体反応部１６０の色を読み取れなかった場合（Ｓ３：ＮＯ）、読み取りエラーが表示される（Ｓ５）。検体反応部１６０の色が読み取れた場合（Ｓ３：ＹＥＳ）、ステップＳ７を省略して遠心処理が実行される（Ｓ９）。次いで、検体反応部１６０の色が再び読み取られる（Ｓ１１）。
【００８２】
ステップＳ９において必要量の検体１０が定量された場合、検体１０が検体定量部１１４から溢れ出す。溢れ出した検体１０が検体反応部１６０Ａ、１６０Ｂに接触すると、検体反応部１６０Ａ、１６０Ｂは色変化を生じる。ＣＰＵ９１は検体反応部１６０からステップＳ１と異なる色を読み取る（Ｓ１１）。この場合、検体反応部１６０の外観が変化していると判断されて（Ｓ１３：ＹＥＳ）、混合液１３の光学測定が実行される（Ｓ１７）。ステップＳ１９を省略して、ステップＳ１７の測定結果に基づく検査結果が表示される（Ｓ２１）。
【００８３】
ステップＳ９において必要量の検体１０が定量されなかった場合、検体１０が検体定量部１１４から溢れ出さないため、検体反応部１６０の色は変化しない。ＣＰＵ９１は検体反応部１６０からステップＳ１と同じ色を読み取る（Ｓ１１）。つまり、検体反応部１６０の外観が変化していないと判断されて（Ｓ１３：ＮＯ）、検体１０の不足を報知するエラーが表示される（Ｓ１５）。
【００８４】
本変形例によれば、検体反応部１６０Ａ、１６０Ｂは、検体１０に接触すると光学的に測定可能な色変化を生じる物質により形成される。検体１０の定量が適正に行われると、検体反応部１６０Ａ、１６０Ｂに色変化が生じる。そのため、検査装置１は、検体反応部１６０Ａ、１６０Ｂに色変化が生じた否かにより、検体１０の定量が適正に行われた否かを特定できる。
【００８５】
検体反応部１６０Ａは、第一通路１１５の内面のうちで、検体定量部１１４と検体余剰部１１６とを最短距離により結ぶ面を構成する側面１１５Ａおよび側面１１５Ｂの少なくとも一方に設けられている。検体反応部１６０Ｂは、検体余剰部１１６の内面のうちで、第一通路１１５の延長線Ｅ上に設けられている。これらの側面１１５Ａおよび側面１１５Ｂおよび延長線Ｅ上は、検体定量部１１４から検体余剰部１１６へ移動する検体１０が接触しやすい。したがって、検体１０の定量が適正に行われた否かをより確実に特定できる。
【００８６】
上記実施形態において、検体反応部１６０は一次元バーコードに限定されず、二次元バーコードでもよい。上記変形例において、検体反応部１６０Ａ、１６０Ｂのいずれか一方のみを設けてもよい。上記実施形態および変形例において、検体反応部は第一通路１１５および検体余剰部１１６のいずれかにおいて、検体定量部１１４から溢れた検体１０が通る位置に設けられればよい。
【００８７】
上記実施形態および変形例では、検体反応部１６０、１６０Ａ、１６０Ｂが第一通路１１５の内面または検体余剰部１１６の内面に沿って形成されているが、検体反応部は第一通路１１５または検体余剰部１１６における他の部位に設けてもよい。例えば、検体反応部は、第一通路１１５の流路を塞ぐ水溶性のシートであってもよい。この場合、検体が第一通路１１５を流れると、検体が水溶性のシートに接触することにより、シートが溶解する。検査装置１は、水溶性のシートが溶解しているか否かを光学的に検出することにより、検体１０の定量が適正に行われた否かを特定できる。また、検体反応部は、検体余剰部１１６に収容された、液体に接触すると色が変化する固形物であってもよい。この場合、検体が検体余剰部１１６に流入すると、検体が固形物に接触することにより、固形物の色が変化する。検査装置１は、固形物に色変化が生じているか否かを光学的に検出することにより、検体１０の定量が適正に行われた否かを特定できる。
【００８８】
検体反応部は、測定光の断面ＬＨの範囲に収まる大きさに限定されず、検査装置１において読み取り可能な大きさおよび形状であればよい。例えば、検体反応部が有するバーコードのパターンは、検査チップ２の自転時に測定光が相対移動する円弧状の軌跡に沿って設けられてもよい。この場合、検査チップ２の自転に伴って、測定光が検体反応部上を移動することにより、検査装置１はバーコード情報を読み取ることができる。
【００８９】
検体反応部が有するバーコードのパターンは、全体が溶解して消える場合に限定されず、少なくとも測定光により読み取られる部分が溶解して消えればよい。例えば、検体反応部が上述したように円弧状のバーコードである場合、検体反応部が有するバーコードのパターンのうちで、検査チップ２の自転時に測定光が相対移動する円弧状の軌跡と交わる部分のみが、溶解して消えてもよい。
【００９０】
検査チップ２は板材２０とシート２９とにより構成されているが、検査チップ２はシート２９を備えていなくてもよい。例えば、液体流路２５が板材２０に直接形成された検査チップ２を用いてもよい。検査チップ２に注入される試薬の数量は、二つに限定されず、一つの試薬でもよいし、三つ以上の試薬でもよい。
【符号の説明】
【００９１】
１        検査装置
２        検査チップ
７        測定部
１０      検体
１１      第一試薬
１２      第二試薬
１３      混合液
３５      主軸モータ
５１      ステッピングモータ
９１      ＣＰＵ
１１４    検体定量部
１１５    第一通路
１１６    検体余剰部
１６０    検体反応部
１６０Ａ  検体反応部
１６０Ｂ  検体反応部
１７０    貯留部
【図１】
2014066607.tif 000003
【図２】
2014066607.tif 000004
【図３】
2014066607.tif 000005
【図４】
2014066607.tif 000006
【図５】
2014066607.tif 000007
【図６】
2014066607.tif 000008
【図７】
2014066607.tif 000009
【図８】
2014066607.tif 000010
【図９】
2014066607.tif 000011
【図１０】
2014066607.tif 000012
【図１１】
2014066607.tif 000013
【図１２】
2014066607.tif 000014
【図１３】
2014066607.tif 000015
【図１４】
2014066607.tif 000016
【図１５】
2014066607.tif 000017
【図１６】
2014066607.tif 000018